(57)【要約】【課題】メモリーカード等の記憶媒体を着脱可能な電子機器について、記憶媒体にトラブルが発生するおそれを未然に抑制できる構成を提供すること。【解決手段】メモリカードを装着するためのスロット２５と、電力供給を受けるための電源端子２７と、を備え、メモリカードの記録データの読取動作及び書込動作の少なくともいずれか一方を実行する電子機器２に用いられる電源プラグ１０は、電源端子２７に取り付けた際にスロット２５からのｍｉｃｒｏＳＤカードの抜取りを規制するように構成されている。【選択図】図１３
2015195132.tif 000002
【特許請求の範囲】
【請求項１】
記憶媒体を着脱可能な媒体装着部と、電力供給を受けるための電源端子と、を備え、記憶媒体の記録データの読取動作及び書込動作の少なくともいずれか一方を実行する電子機器に用いられ、前記電源端子に接続する電源プラグであって、
電源端子に取り付けた際に媒体装着部からの記憶媒体の脱去を規制するように構成された電源プラグ。
【請求項２】
請求項１において、電源端子に取り付けた際に媒体装着部に対する記憶媒体の装着を規制するように構成された電源プラグ。
【請求項３】
請求項１又は２において、電源端子に取り付けた際に媒体装着部に対して記憶媒体を装着あるいは脱去するために必要な空間領域である作業スペースの少なくとも一部を占有する電源プラグ。
【請求項４】
請求項１〜３のいずれか１項において、前記電源端子と電気的に接続されるプラグ電極と、前記プラグ電極を保持するように形成された電気的な絶縁特性を呈する絶縁材料よりなるプラグ保持部と、を備え、
電源端子に取り付けた際に媒体装着部に対して記憶媒体を装着あるいは脱去するために必要な空間領域である作業スペースに前記プラグ保持部の少なくとも一部が位置しており、これにより媒体装着部に対する記憶媒体の装着あるいは脱去が規制される電源プラグ。
【請求項５】
請求項１〜４のいずれか１項において、開口部から記憶媒体を挿入可能なように構成された媒体装着部に対して電源端子が隣り合わせて配置された電子機器に用いられる電源プラグであって、
媒体装着部の開口部の少なくとも一部に覆い被さり記憶媒体の装着あるいは脱去を規制する状態で電源端子に取り付けられる電源プラグ。
【請求項６】
請求項４において、孔内に電源端子が配設された端子孔を備える電子機器に用いられる電源プラグであって、
前記プラグ電極を含み端子孔に収容される嵌合部を備え、
前記プラグ保持部は、前記嵌合部に対して略直交する方向に延設されている電源プラグ。
【請求項７】
請求項６において、電線を隠蔽可能な内装部材を有する車両に設置する電子機器に用いられる電源プラグであって、
前記プラグ保持部が前記内装部材側に延在するように電源端子に取り付けられると共に、前記嵌合部とは反対側の前記プラグ保持部の端部から電線が延在している電源プラグ。
【請求項８】
請求項７において、媒体装着部を上側にして電源端子と媒体装着部とが上下方向に隣り合わせて位置する姿勢で車室の天井近くに設置される電子機器に用いられる電源プラグであって、
前記プラグ保持部が上方に延在するように電源端子に取り付ける電源プラグ。
【請求項９】
請求項１〜８のいずれか１項において、記憶媒体の脱着が不可能となるように媒体装着部の少なくとも一部を覆う第１状態と、記憶媒体が脱着可能となるように媒体装着部を外部に露出させる第２状態と、を切り換え可能な遮蔽手段を備える電子機器に用いられる電源プラグであって、
前記遮蔽手段が前記第２状態にあるときには電源端子への取り付けが不可能である一方、前記第１状態にあるときに電源端子への取り付けが可能になると共に、電源端子に取り付けた状態において前記隠蔽手段の前記第１状態から前記第２状態への移行を規制するように構成された電源プラグ。
【請求項１０】
記憶媒体を着脱可能な媒体装着部と、電力供給を受けるための電源端子と、を備え、記憶媒体の記録データの読取動作及び書込動作の少なくともいずれか一方を実行する電子機器であって、
請求項１〜９のいずれか１項に記載された電源プラグを前記電源端子に取り付けた状態で電力供給を受けて動作する電子機器。
【請求項１１】
請求項１０において、記憶媒体へのデータ書込中に電源プラグが取り外された際、データ書込動作を正常に完了するまでに一定の時間を要する一方、少なくとも当該一定の時間に渡る動作のために必要な電力を蓄える蓄電手段を備える電子機器。
【請求項１２】
請求項１１において、電源プラグを経由する電力供給を遮断するための電源切換手段を備え、該電源切換手段が電力供給を遮断する場合、前記一定の時間が経過するまで前記蓄電手段からの電力供給を継続する電子機器。
【請求項１３】
請求項１０〜１２のいずれか１項において、電力供給を受けている間、画像を撮像する撮像手段が取得した撮像画像を記憶媒体に記憶させるためのデータ書込動作を繰り返し実行する電子機器。
【発明の詳細な説明】
【技術分野】
【０００１】
本発明は、記憶媒体を着脱可能な電子機器に関する。
【背景技術】
【０００２】
従来より、例えば、メモリーカードに記録された地図データを読み出して地図を表示するポータブル型のナビゲーション装置や、メモリーカードに画像データを記録するドライブレコーダなど、記憶媒体を着脱可能な車載機器が各種販売されている（例えば、特許文献１及び２参照。）。
【０００３】
メモリーカードを利用すれば、例えばパソコンなど他の電子機器との間のデータ交換が容易となる。例えば、車載機器側からデータを取り出したいときなど、データ移動先の電子機器の近くに車載機器を持ち運び、ＵＳＢケーブル等の通信ケーブルで両者を通信可能に接続しなければならないといった手間を解消できるので非常に便利になる。
【先行技術文献】
【特許文献】
【０００４】
【特許文献１】特開２０１１−２５７８４９号公報
【特許文献２】特開２０１１−１５０５７３号公報
【発明の概要】
【発明が解決しようとする課題】
【０００５】
しかしながら、前記従来の電子機器では、次のような問題がある。すなわち、電子機器の制御回路がメモリ領域にアクセスしている最中にメモリーカードが取り外されると、メモリーカードに記憶されたデータが読出不可能になってソフトウェア的に壊れてしまったり、最悪の場合にはメモリーカードが物理的な損傷によりハードウェア的に壊れてしまうおそれがある。
【０００６】
本発明は、前記従来の問題点に鑑みてなされたものであり、例えばメモリーカード等の記憶媒体を着脱可能な電子機器について、記憶媒体にトラブルが発生するおそれを未然に抑制できる構成を提供しようとするものである。
【課題を解決するための手段】
【０００７】
（１）記憶媒体を着脱可能な媒体装着部と、電力供給を受けるための電源端子と、を備え、記憶媒体の記録データの読取動作及び書込動作の少なくともいずれか一方を実行する電子機器に用いられ、前記電源端子に接続する電源プラグであって、
電源端子に取り付けた際に媒体装着部からの記憶媒体の脱去を規制するように構成された電源プラグとするとよい。
【０００８】
このような電源プラグによれば、電源端子に取り付けた際、前記媒体装着部に装着された記憶媒体の取り外しを規制できる。この電源プラグが電源端子に取り付けられて電力供給を受けて動作している状態では、前記媒体装着部に装着された記憶媒体が取り外されるおそれが少なくなっている。動作状態下の記憶媒体の取り外しを規制できれば、例えばデータ書込み中に記憶媒体が取り外されるおそれを抑制でき、データ書込みエラー等のソフトウェア的なトラブルや、記憶媒体の物理的な損傷によるハードウェア的なトラブルを未然に回避できる。
【０００９】
以上のように構成された電源プラグによれば、電子機器の動作状態下の記憶媒体を取り外し等を規制でき、これにより記憶媒体にトラブルが発生するおそれを未然に抑制できる。この電源プラグを備える電子機器では、記憶媒体自体が壊れたり、記録したデータ等が読出し不能になったりといったトラブルが少なくなっている。
【００１０】
一般に、記憶媒体を装着するタイミングとしては、機器の動作中よりも動作停止中の方が好適である。動作中に記憶媒体を装着する際の信頼性を高く確保しようとすると、例えば電気回路的に特別な設計が必要となる等、製品コストの上昇を誘発するおそれもある。上記のような電源プラグの場合、電源端子に取り付けた状態であれば、記憶媒体の取り外しだけでなく装着も規制できる。そのため、信頼性を確保するための特別な設計の必要性を回避でき、製品コストを抑制できる可能性がある。
【００１１】
ここで、記憶媒体の脱去を規制する構成としては、例えば、記憶媒体の脱去を不可能にする構成とするとよい。このようにすれば、より確実にデータ書込みエラー等のソフトウェア的なトラブルや、記憶媒体の物理的な損傷によるハードウェア的なトラブルを防止できる。また、記憶媒体の脱去を規制する構成としては、例えば、脱去に道具が必要になったり脱去の手間が増える等により脱去の作業を難しく構成とするとよい。例えば、電源プラグを取り付けたときの記憶媒体の脱去の手間が、電源プラグを取り付けていない状態よりも増えて脱去しにくくなっている構成とするとよい。
また、例えば、電源端子に取り付けた際に媒体装着部からの記憶媒体の脱去を規制する一方、電源端子から取り外した際に媒体装着部からの記憶媒体の脱去の規制を解除する構成とするとよい。このようにすれば、ユーザーは媒体装着部からの記憶媒体の脱去の規制を解除するために電源端子から取り外してから、記憶媒体を脱去する可能性が高まる。したがって、より確実にデータ書込みエラー等のソフトウェア的なトラブルや、記憶媒体の物理的な損傷によるハードウェア的なトラブルを防止できる。
【００１２】
なお、電子機器としては、様々な電子機器とすることができるが、例えば、ナビゲーション装置、ドライブレコーダ、レーダー探知機、イベントデータレコーダー、ＧＰＳロガー等とするとよい。さらに、多機能型携帯電話（例えば、スマートフォン）や、電子手帳や、ＰＤＡ（Personal Digital Assistant）や、携帯型音楽プレーヤや、デジタルカメラや、デジタルレコーダ等の電子機器とすると良い。
【００１３】
特に、これらの電子機器としては例えば充電可能なバッテリを備える構成とし、バッテリから記憶媒体の記録データの読取動作及び書込動作の少なくともいずれか一方を実行する箇所への電源の供給を行う構成としてもよい。特にこのような構成においては、充電切れで電源プラグを取り付けて動作している状態などでは、上記のような電源プラグの構成が非常に有効となる。上記のような電源プラグの構成としては、特に、記憶媒体の記録データの読取動作及び書込動作の少なくともいずれか一方を実行する箇所への電源の供給を、電源端子へ供給された電力に基づいて行う構成とするとよい。特に、電源端子への電力の供給が無くなった場合に、記憶媒体の記録データの読取動作及び書込動作の少なくともいずれか一方を実行する箇所への電源の供給がされなくなる構成とすると、顕著な効果を発揮する。
【００１４】
（２）電源プラグは、電源端子に取り付けた際に媒体装着部に対する記憶媒体の装着を規制する構成とするとよい。
この場合には、電源端子に取り付けた電源プラグにより、脱去だけでなく記憶媒体の装着を規制できるようになる。通電状態の電子機器に対して記憶媒体を装着すると、記憶媒体に対して突然、電圧等が作用してハードウェア的なトラブルが発生する可能性がある。一方、電源プラグを取り付けた状態において記憶媒体の装着を規制できれば、上記のようなハードウェア的なトラブルの発生を未然に回避できる。
【００１５】
（３）電源プラグは、電源端子に取り付けた際に媒体装着部に対して記憶媒体を装着あるいは脱去するために必要な空間領域である作業スペースの少なくとも一部を占有する構成とするとよい。
電源プラグが前記作業スペースの一部を占有する場合には、電源端子に電源プラグを取り付けることで、媒体装着部に対する記憶媒体の装着あるいは脱去を規制できる。これにより、電源端子に取り付けられた電源プラグを介して電力供給を受けて電子機器が動作している最中に記憶媒体が装着あるいは脱去されるおそれを抑制できる。
【００１６】
前記作業スペースとしては、例えば記憶媒体を所定方向に挿入する媒体装着部の場合であれば、記憶媒体を装着あるいは脱去する際、前記所定方向に記憶媒体を移動させる経路を構成する空間領域や、記憶媒体を着脱するためにユーザーが指等を差し入れる空間領域等とするとよい。例えば、電源端子に取り付けた時、前記作業スペースの一部を占有するように電源プラグを構成すれば、簡単な構成で記憶媒体の装着あるいは脱去を規制する機能を低コストで実現できる。
【００１７】
（４）電源プラグは、前記電源端子と電気的に接続されるプラグ電極と、前記プラグ電極を保持するように形成された電気的な絶縁特性を呈する絶縁材料よりなるプラグ保持部と、を備え、
電源端子に取り付けた際に媒体装着部に対して記憶媒体を装着あるいは脱去するために必要な空間領域である作業スペースに前記プラグ保持部の少なくとも一部が位置しており、これにより媒体装着部に対する記憶媒体の装着あるいは脱去が規制される構成とするとよい。
【００１８】
プラグ保持部が前記作業スペースの一部を占有する場合には、電源端子に電源プラグを取り付けることで、媒体装着部に対する記憶媒体の装着あるいは脱去を規制できる。これにより、電源端子に取り付けられた電源プラグを介して電力供給を受けて電子機器が動作している最中に記憶媒体が装着あるいは脱去されるおそれを抑制できる。
【００１９】
例えば絶縁性材料よりなるプラグ保持部であれば、前記作業スペースの一部を占有させるために形状を変更した場合にも、電気的な特性に影響を与えるおそれが少ない。さらに、例えば絶縁性材料として樹脂材料を採用する場合であれば、例えば射出成形によって所望の形状を、コストを抑制しながら比較的簡単に実現できる。
【００２０】
（５）電源プラグは、開口部から記憶媒体を挿入可能なように構成された媒体装着部に対して電源端子が隣り合わせて配置された電子機器に用いられる電源プラグであって、
媒体装着部の開口部の少なくとも一部に覆い被さり記憶媒体の装着あるいは脱去を規制する状態で電源端子に取り付けられる構成とするとよい。
この場合には、電源端子に取り付けた電源プラグが媒体装着部の開口部の少なくとも一部に覆い被さることで、媒体装着部に対する記憶媒体の装着あるいは脱去を規制できる。電源端子に対して媒体装着部を隣り合わせて配置すると共に、電源端子に取り付けた電源プラグが開口部に覆い被さるように構成するだけで、上記のように電源プラグによって記憶媒体の装着あるいは脱去を規制できるという作用効果を実現できる。例えば開口部を覆う開閉可能な蓋を設ける等、記憶媒体の装着あるいは脱去を難しくするための特別な構成を追加する必要がないので、簡単かつ低コストな構成で有効な作用効果を実現できる。覆い被さる度合いとしては、例えば、媒体装着部の開口部の少なくとも一部から、装着あるいは脱去を規制する程度離れていてもよいが、近接した状態とするとよく、特に密着した状態とするとよい。
【００２１】
（６）電源プラグは、孔内に電源端子が配設された端子孔を備える電子機器に用いられる電源プラグであって、
前記プラグ電極を含み端子孔に収容される嵌合部を備え、
前記プラグ保持部は、前記嵌合部に対して略直交する方向に延設されている構成とするとよい。
【００２２】
端子孔は電子機器の外周面から掘り込まれるように穿孔されるので、電源端子に電源プラグを取り付けた際、電子機器の外周面に沿ってプラグ保持部が延在するようになる。これにより、電源プラグや延設された電線等が電子機器の外周側に突出する度合いを軽減でき美観を向上できる。例えば、前記電源端子に対して前記媒体装着部が隣り合う方向に対して、前記プラグ保持部の延設方向が略一致するように電源プラグを取り付けると良い。この場合には、電源端子に電源プラグを取り付けた時、媒体装着部側にプラグ保持部が延在することになり、媒体装着部に対する記憶媒体の装着あるいは脱去を難しくできる。さらに、例えば、前記媒体装着部が隣り合う方向に対して前記プラグ保持部の延設方向が略一致するように電源プラグの向きを規制する構造を採用すると良い。この場合には、電源端子に電源プラグを取り付けた際、略直交方向に延設された前記プラグ保持部が前記媒体装着部に対面して位置し、これにより記憶媒体の着脱を規制できるようになる。
【００２３】
（７）電源プラグは、電線を隠蔽可能な内装部材を有する車両に設置する電子機器に用いられる電源プラグであって、
前記プラグ保持部が前記内装部材側に延在するように電源端子に取り付けられると共に、前記嵌合部とは反対側の前記プラグ保持部の端部から電線が延在している構成とするとよい。
【００２４】
この場合には、電源端子に電源プラグを取り付けたとき、前記内装部材側に延在する電線を前記内装部材により容易に隠蔽できる。電線が露出する長さを短縮できると共に、前記内装部材に向けて直線的に電線を敷設できるので、美観を向上できる。
【００２５】
（８）電源プラグは、媒体装着部を上側にして電源端子と媒体装着部とが上下方向に隣り合わせて位置する姿勢で車室の天井近くに設置される電子機器に用いられる電源プラグであって、
前記プラグ保持部が上方に延在するように電源端子に取り付ける構成とするとよい。
【００２６】
車室の天井近くの設置が好適な電子機器としては、例えばドライブレコーダやレーダー探知機等がある。天井近くに設置する場合、運転者や同乗者側から電線が目立ちやすくなるので、電線の取り回す際の美観を向上できるという上記の作用効果が特に有効となる。
【００２７】
（９）電源プラグは、記憶媒体の脱着が不可能となるように媒体装着部の少なくとも一部を覆う第１状態と、記憶媒体が脱着可能となるように媒体装着部を外部に露出させる第２状態と、を切り換え可能な遮蔽手段を備える電子機器に用いられる電源プラグであって、
該電源プラグは、前記遮蔽手段が前記第２状態にあるときには電源端子への取り付けが不可能である一方、前記第１状態にあるときに電源端子への取り付けが可能になると共に、電源端子に取り付けた状態において前記隠蔽手段の前記第１状態から前記第２状態への移行を規制する構成とするとよい。
【００２８】
記憶媒体は、前記遮蔽手段が前記第２状態にあるときに脱着可能になる。この第２状態では、前記電源プラグの取り付けが不可能であるので、記憶媒体の脱着を行なっている間に電源プラグが取り付けられて電力供給が開始されるおそれがない。また、電源プラグの取り付けが可能となる前記第１状態では、記憶媒体の脱着が不可能となる。そのため、電源プラグを介した電力供給中に記憶媒体が脱着されるおそれがない。このように前記第１状態と前記第２状態とを切り換え可能な前記遮蔽手段によれば、電源プラグを介した電力供給中の記憶媒体の脱着を確実性高く規制でき、トラブルの発生を未然に回避できる。
【００２９】
（１０）記憶媒体を着脱可能な媒体装着部と、電力供給を受けるための電源端子と、を備え、記憶媒体の記録データの読取動作及び書込動作の少なくともいずれか一方を実行する電子機器であって、
前記第１の態様の電源プラグを前記電源端子に取り付けた状態で電力供給を受けて動作する電子機器とするとよい。
【００３０】
（１１）電子機器は、記憶媒体へのデータ書込中に電源プラグが取り外された際、データ書込動作を正常に完了するまでに一定の時間を要する一方、少なくとも当該一定の時間に渡る動作のために必要な電力を蓄える蓄電手段を備えている構成とするとよい。
この場合には、万が一、記憶媒体へのデータ書込み中に電源プラグが取り外されたときにも、確実性高くデータ書込動作を完了できる。データの書込みエラーを回避できるほか、記憶媒体のハードウェア的なトラブルを確実性高く回避できる。
【００３１】
（１２）電子機器は、電源プラグを経由する電力供給を遮断するための電源切換手段を備え、該電源切換手段が電力供給を遮断する場合、前記一定の時間が経過するまで前記蓄電手段からの電力供給を継続する構成とするとよい。
上記のような電源切換手段を設けることで、不必要なときには電子機器の動作を停止できるようになり、省エネ効果を向上できる。一方、記憶媒体へのデータ書込み中に電源プラグを経由する電力供給が遮断されるおそれが生じる。上記のように電源切換手段が電力供給を遮断する場合、前記一定の時間が経過するまで前記蓄電手段からの電力供給が継続されるように構成すれば、例えばデータ書込動作の失敗が発生するおそれを未然に抑制できる。
【００３２】
（１３）電子機器は、電力供給を受けている間、画像を撮像する撮像手段が取得した撮像画像を記憶媒体に記憶させるためのデータ書込動作を繰り返し実行する構成とするよい。
このような電子機器は、電力供給を受けている間、繰り返しデータ書込動作を実行している。たとえデータ書込動作が高速であっても、電源プラグが取り外されて電力供給が遮断されるタイミングがデータ書込動作の実行期間に一致する可能性が高くなる。それ故、上記のような電子機器の場合、発揮される作用効果が特に有効になる。動作している間、頻繁にデータ書込動作を実行する電子機器の場合、特に有効である。
【００３３】
また次のように構成するとよい。
（Ａ）電子機器に着脱可能な記憶媒体への記憶機能を有する電子機器の電源入力部へ近接した状態である近接状態で電気的に接続される接続状態と、前記近接状態よりも前記電子機器の前記電源入力部へ離反した状態である離反状態で電気的に接続されない非接続状態をとる電気的接続部であって、当該電気的接続部を前記電子機器から前記離反状態にさせないと前記記憶媒体を前記電子機器から取り出しにくくなる取出制限手段を備えることを特徴とするシステム。このシステムによれば、電子機器が記憶媒体への記憶を行っている最中に記録媒体が当該電子機器から取り出されて記憶媒体のデータや記憶媒体自体が破壊される問題を従来よりも抑制できる。システムは、電気的接続部側のみで実現してもよいし、電子機器側のみで実現してもよい。また電気的接続部側と、電子機器側との双方で実現してもよい。電気的接続部側のみで実現する場合には、取出制限手段は電気的接続部側に備えることとなる。電子機器側のみで実現する場合には、取出制限手段は電子機器側に備える。電気的接続部側と、電子機器側との双方で実現する場合には、取出制限手段は、電気的接続部側部分と、電子機器側部分とから構成することとなる。
【００３４】
電気的接続部としては、例えば電磁誘導等で非接触型の給電を行う接続部としてもよいが、接触型の接続部とするとよい。例えば、電気的接続部は電源供給用の端子を備え、電子機器には電源入力部として受電用の端子を備え、前記近接状態において電気的接続部の備える電源供給用の端子が電子機器の備える受電用の端子に接触する状態となって前記接続状態となる一方、前記離反状態において電気的接続部の備える電源供給用の端子が電子機器の備える受電用の端子に接触しない状態となって前記非接続状態となる構成とするとよい。
【００３５】
電気的接続部は、接触型の接続部の場合、導電性の部材同士が接触する構成であればよく、例えば、マグネットにより導電性の部材同士が接触する構成のものとしたり、コネクタにしたりするとよく、ジャックとすることもできるが、特にプラグとするとよい。電気的接続部をプラグとすれば、前記離反状態となるまでに、所定の距離分、電子機器から引き抜く必要があるため、この引き抜き動作を利用する構成や、引き抜くために必要な距離を利用する構成として、取出制限手段を低コストで実現しやすい。
【００３６】
例えば、記憶媒体への記憶機能を有する電子機器へ電源を供給するための電源プラグであって、当該電源プラグを前記電子機器から抜かないと前記記憶媒体を前記電子機器から取り出しにくくなる取出制限手段を備えることを特徴とするシステムとするとよい。この場合、システムは、電源プラグ側のみで実現してもよいし、電子機器側のみで実現してもよい。また電源プラグ側と、電子機器側との双方で実現してもよい。電源プラグ側のみで実現する場合には、取出制限手段は電源プラグ側に備えることとなる。電子機器側のみで実現する場合には、取出制限手段は電子機器側に備える。電源プラグ側と、電子機器側との双方で実現する場合には、取出制限手段は、電源プラグ側部分と、電子機器側部分とから構成することとなる。
【００３７】
（Ｂ）前記「取り出しにくくなる」は、「取り出せないようにみえる」構成としたことを特徴とするシステムとするとよい。例えば、実際には取り出せる構成でも取り出せないようにみえるだけでも効果を発揮する。
【００３８】
（Ｃ）また前記「取り出しにくくなる」は「取り出せない」構成としたことを特徴とするシステムとするとよい。このようにすれば記憶媒体のデータや記憶媒体自体が破壊される危険性をより小さくすることができる。
【００３９】
（Ｄ）取出制限手段は、前記電気的接続部が前記電子機器に対して前記近接状態にある場合において前記記憶媒体の前記電子機器からの取り出しを制限し、前記電気的接続部が前記電子機器に対して前記離反状態にある場合において前記記憶媒体の前記電子機器からの取り出しを制限しない構成とするとよい。このようにすれば電気的接続部と電子機器とが離反状態にある場合には記憶媒体の取り出しが容易である一方、電気的接続部と電子機器とが近接状態にある場合には記憶媒体の取り出しが困難となる。したがって、記憶媒体を電子機器から取り出す場合には、まず電気的接続部を離反状態にしてから記憶媒体を電子機器から取り出す操作がされる可能性を高めることができる。その結果、電子機器が記憶媒体への記憶を行っている最中に記録媒体が当該電子機器から取り出されて記憶媒体のデータや記憶媒体自体が破壊される問題を従来よりも抑制できる。
【００４０】
例えば、電気的接続部を電源プラグとして構成した場合、取出制限手段は、電源プラグを電子機器へ差し込んだ状態において記憶媒体の電子機器からの取り出しを制限し、電源プラグを電子機器から抜いた状態において記憶媒体の電子機器からの取り出しを制限しない構成とするとよい。このようにすれば電源プラグを電子機器から抜いた状態では記憶媒体の取り出しが容易である一方、電源プラグを電子機器に差し込んだ状態では記憶媒体の取り出しが困難となる。したがって、電源プラグを電子機器から抜いた状態で、記憶媒体が取り出される可能性を高めることができ、記憶媒体のデータや記憶媒体自体が破壊される問題を従来よりも抑制できる。
【００４１】
（Ｅ）記憶媒体は、例えば、前記電子機器の筐体外部から前記電子機器の筐体内部へ挿入されて記憶可能となり、筐体外部に取り出されて記憶不能となる構成とするとよい。
【００４２】
（Ｆ）前記取出制限手段は、前記近接状態において前記記憶媒体の前記電子機器からの取り出し方向に対しては当該記憶媒体の取り出しの邪魔をし、前記離反状態において前記記憶媒体の前記電子機器からの取り出し方向に対しては当該記憶媒体の取り出しの邪魔をしない手段である取出妨害手段を備える構成とするとよい。
【００４３】
（Ｇ）前記取出制限手段は、前記電子機器において前記電子機器における記憶媒体の取り出しの際に前記記憶媒体の通り道となる部分（以下通路という）に隣接して前記電源入力部を設け、前記電気的接続部は前記電源入力部と前記離反状態となったときに前記通路を妨害せず前記電源入力部と前記近接状態となったときに前記通路を妨害する手段である取出通路妨害手段を備える構成とするとよい。
【００４４】
例えば、電子機器において電源入力部を有する電源コネクタと記憶媒体の通路であるメモリーカードのスロットを、前記隣接として並べて配置し、電気的接続部を備える電源プラグにはＬ字型のプラグを使用し、前記取出通路妨害手段として電源プラグのＬ字の一部または電源プラグからのコードが邪魔をして当該電源プラグを抜かないとメモリーカードが取り出せない配置、構造とするとよい。また、例えば、メモリーカードスロットにカバーを設け、電源プラグを電子機器から抜かないと当該カバーが開けられない構造とするとよい。このようにすればより確実に、電子機器が記憶媒体への記憶を行っている最中に記録媒体が当該電子機器から取り出されて記憶媒体のデータや記憶媒体自体が破壊される可能性を低減できる。
【００４５】
（Ｈ）前記電子機器の前記記憶媒体の記憶機能は前記電源接続部を介して供給される電源に基づいて実現される構成とするとよい。例えば、電子機器において記憶機能を有する記憶制御部の電源は電源接続部を介して供給される電源を使用する構成とするとよい。
【００４６】
（Ｉ）前記取出制限手段による取出しの制限を突破して前記記憶媒体が電子機器から取り出される場合に、前記記憶媒体を前記電子機器から安全に取出し可能とする保護手段を備えるとよい。例えば、保護手段は、メモリーカードスロットにカバーを設け、カバーを外すと電源がオフになるか、またはメモリーカードを安全に取り出せる処理を開始する構成とるとよい。このようにすれば、電子機器が記憶媒体への記憶を行っている最中に記録媒体が当該電子機器から取り出されて記憶媒体のデータや記憶媒体自体が破壊されるおそれをより低減できる。
【００４７】
（Ｊ）前記電子機器の内部にバックアップ用の電源を持ち、前記電源入力部への電源供給が停止するとメモリーカードを安全に取り出せる処理を行うとよい。
【００４８】
（Ｋ）電子機器は、特に車載機器とするとよく、特に車載用録画装置の構成を備えるとよい。
【図面の簡単な説明】
【００４９】
【図１】ドライブレコーダの正面側の斜視図。
【図２】ドライブレコーダの背面側の斜視図。
【図３】スロット周辺を示す斜視図。
【図４】電源端子の構造を示す説明図。
【図５】電子基板の正面図。
【図６】電気基板の裏面図。
【図７】シガープラグコードを示す斜視図。
【図８】プラグの構造を示す説明図。
【図９】ドライブレコーダを車載した様子を示す説明図。
【図１０】ブラケットを示す説明図。
【図１１】ドライブレコーダの取付け手順を示す説明図。
【図１２】ｍｉｃｒｏＳＤカードをセットする様子を示す説明図。
【図１３】シガープラグコードを接続する様子を示す説明図。
【図１４】電源端子に対するプラグの嵌合構造の説明図。
【図１５】電源プラグの接続状態を示す説明図。
【図１６】ｍｉｃｒｏＳＤカードに記録された画像データをＰＣで閲覧する手順を示す説明図。
【図１７】その他のドライブレコーダのスロット周辺を示す斜視図。
【図１８】その他の電源端子及び電源プラグを示す説明図。
【図１９】その他のドライブレコードのスロット周辺を示す斜視図。
【図２０】その他の電源プラグの接続構造を示す断面図。
【発明を実施するための形態】
【００５０】
本発明の実施の形態につき、以下の実施例を用いて具体的に説明する。
（実施例１）
図１及び図２に例示する電子機器の一例としての車載用録画装置の例であるドライブレコーダ２は、車両内外の画像を撮像して記録（録画）するために車載される電子機器である。このドライブレコーダ２は、正面略矩形状の筐体２０の内部に電子基板３０（図５及び図６参照。）を収容する電子機器である。筐体２０の正面には、カメラユニット３１のレンズ３１１が配置され、背面には、液晶画面３３０及び操作ボタン２０５が配置されている。筐体２０の上面には、録画動作の開始停止のための記録ボタン２２１、電源ボタン２２３が配置されているほか、ブラケット４（図１０参照。）を取り付けるためのネジ孔２０１が穿設されている。筐体２０の側面には、電源供給のための電源端子（電源入力部の一例である電源コネクタを構成する部材）２７及びｍｉｃｒｏＳＤカード（記憶媒体の一例であるメモリーカードの例）２４を挿入するための通路をなすスロット（開口部を構成する例）２５が配置されている。
【００５１】
スロット２５は、筐体２０の側面の延在方向に沿って穿設されている（図２参照。）。筐体２０の側面のうちスロット２５に隣接する背面側の部分には、湾曲凹状の窪み２５０が筐体２０の厚さ方向に延設されている（図３）。この窪み２５０の幅は、人差し指の指先ほどの幅となっている。スロット２５を利用して装着されたｍｉｃｒｏＳＤカード２４の端部は、筐体２０の側面と略面一となり、それ故、この窪み２５０ではｍｉｃｒｏＳＤカード２４の端部が若干突出することになる。
【００５２】
電源端子２７は、図４のごとく、丸孔状の端子孔２７０に正負の電極部材が配設された接続端子である。この電源端子２７では、端子孔２７０の中心軸に沿ってピン状のプラス電極（端子の一例）２７Ｐが配置されると共に、このプラス電極２７Ｐを介在して対面するようにマイナス電極（端子の一例）２７Ｃが対向配置されている。端子孔２７０では、その略円形状の断面において内周側に突出する凸部２７Ｔが周方向の１箇所に設けられている。詳しくは後述するが、この凸部２７Ｔは、電源端子２７に接続した電源プラグ１０の周方向位置を規定するための位置決め構造を構成している。
【００５３】
筐体２０に収容される電子基板３０は、両面実装の基板である。ドライブレコーダ２の正面側に当たる実装面（図５）には、カメラユニット３１、ＣＰＵ・ＲＯＭ・ＲＡＭ・ＲＴＣ（計時部）等を備えるマイコン３２等からなる電子回路、カードコネクタ（媒体装着部の一例）３５、電源端子２７の構成部品であるプラグコネクタ３７等が配置されている。カメラユニット３１は、チップ型のＣＭＯＳ素子にレンズを取り付けたユニットである。背面側に当たる実装面（図６）には、ＴＦＴ液晶ディスプレイ３３、操作ボタン２０５（図２）に対応するチップスイッチ３０５等が配置されている。
【００５４】
カードコネクタ３５は、ｍｉｃｒｏＳＤカード２４を保持し、電子基板３０に対する電気的な接続状態を実現する部品である。カードコネクタ３５は、ｍｉｃｒｏＳＤカード２４を保持するためのラッチ機構を有している。このラッチ機構は、押し込まれたｍｉｃｒｏＳＤカード２４を保持する一方、保持するｍｉｃｒｏＳＤカード２４が押し込まれたときにラッチを解除してｍｉｃｒｏＳＤカード２４を押し戻し取り出し（脱去の一例）を可能にする機構である。
【００５５】
ＲＯＭには、カメラユニット３１により取得された画像データをｍｉｃｒｏＳＤカード２４に記録する画像処理プログラム、ＯＳ(Operation System)等の各種プログラムが記憶されている。これらのプログラムをＣＰＵが実行することにより、画像データの連続記録など各種の機能が実現される。例えば画像データを連続記録する動作モードが設定された場合であれば、ＣＰＵは、古い画像データを消去することでｍｉｃｒｏＳＤカード２４上で記録領域を確保しながら新しい画像データを記録し、これにより現在を基点とした過去の所定期間に渡る画像データをｍｉｃｒｏＳＤカード２４に記録する。
【００５６】
ドライブレコーダ２は、例えば図７のシガープラグコード１等の電源コードを介して車両側から電源供給を受けて動作する。シガープラグコード１は、車両のイグニッションスイッチがオンになったときなどに電力供給が開始される車両側のシガーソケット８３に接続するシガープラグ１５を有する電源コードである。このシガープラグコード１の電源プラグ１０が接続された状態であれば、イグニッションスイッチがオンに切り換えられたときにドライブレコーダ２への電力供給が開始されて動作が開始される。
【００５７】
このシガープラグコード１の先端に設けられ、ドライブレコーダ２に接続される電源プラグ１０は、図７のごとく、電気的な絶縁特性を呈する樹脂材料製のプラグ保持部１２に正負のプラグ電極（端子の一例）を保持させたものである。プラグ保持部１２は、上面が湾曲状をなし、その湾曲方向に横長の形状を呈している。湾曲状の上面とは反対側の底面では、電源端子２７に挿入される略円柱状のプラグ（嵌合部の一例）１１が湾曲方向の一方の端部に立設されている。プラグ保持部１２の湾曲方向の側面のうちプラグ１１から遠い側の側面には、シガープラグコード１から延設された２本１組の電線のケーブル１３が接続されている。この電源プラグ１０は、横長のプラグ保持部１２と、プラグ保持部１２の底面の端部に立設されたプラグ１１と、の組み合わせにより全体として略Ｌ字状の形状を呈している。
【００５８】
プラグ１１は、電源端子２７の端子孔２７０に挿入される部分である。外径略円柱状のプラグ１１では、図８のごとく、その中心軸に沿って有底のピン孔１１０が穿孔され、そのピン孔１１０の内周面には、内周側に向けて若干張り出すようにプラス電極１１Ｐが対向配置されている。プラグ１１の外周面は、金属板を巻回したマイナス電極１１Ｃによって形成されている。
【００５９】
プラグ１１のマイナス電極１１Ｃ及びプラス電極１１Ｐは、電気的な絶縁特性を呈する樹脂材料によって電気的な短絡が生じないように保持されている。樹脂材料製のプラグ保持部１２の内部には、２本１組の電線のうちの一方とマイナス電極１１Ｃとを接続する電気的経路、他方の電線とプラス電極１１Ｐとを接続する電気的経路が形成されている。
【００６０】
図４を参照して上記した通り、電源端子２７の端子孔２７０では、内周側に突出する凸部２７Ｔが周方向の１箇所に設けられている。一方、この端子孔２７０に挿入する外形円柱状のプラグ１１では、略円形状の断面において内周側に窪む凹部１１Ｄ（図８）が周方向の１箇所に設けられている。電源端子２７の凸部２７Ｔとプラグ１１の凹部１１Ｄとは、電源プラグ１０を接続する際の周方向の位置を規制するための位置決め構造をなしている。
【００６１】
この位置決め構造は、ドライブレコーダ２の電源端子２７に電源プラグ１０を接続した際、プラグ１１との組み合わせにより略Ｌ字状を呈するプラグ保持部１２がスロット２５側に延在してその開口部が覆い隠されるように構成されている。位置決め構造により電源端子２７に対する周方向位置が規定されるプラグ保持部１２は、ｍｉｃｒｏＳＤカード２４を着脱する際の通路をなすスロット２５を覆い隠す。プラグ保持部１２は、ｍｉｃｒｏＳＤカード２４をスロット２５に挿入あるいは引き抜いて取り出す際にｍｉｃｒｏＳＤカード２４が通過する経路や、そのｍｉｃｒｏＳＤカード２４を指先等で把持するために必要となるスペース等、ｍｉｃｒｏＳＤカード２４を着脱するための作業スペースを占有し、これによりｍｉｃｒｏＳＤカード２４の取り出し作業を困難にする取出制限手段、あるいは取出妨害手段、ｍｉｃｒｏＳＤカード２４をに取り出す際の経路である通路を妨害する取出通路妨害手段として機能する。
【００６２】
ドライブレコーダ２は、取り付け用のブラケット４を介して、例えば図９〜図１１のごとく車両のフロントガラス８０等に取り付け可能である。ブラケット４は、両面テープ４００等を介してフロントガラス８０に貼付される貼付ステー４３、筐体２０のネジ孔２０１に対応するネジ４１１を含む台座４１等を有している。
【００６３】
貼付ステー４３は、図１０のごとく、フロントガラス８０のガラス面に貼付される円形状の貼付プレート４３０の裏面に延設された湾曲状の腕部４３３の先端に球状の摺動ボール４３５が設けられた部材である。台座４１は、ネジ４１１が立設された台座面４１０の反対側に、内周球面状の凹部４１７が設けられた部材である。凹部４１７の外周側には、外周ナット４５を螺入する外周ネジ４１５が設けられている。凹部４１７に摺動ボール４３５を収容した状態で外周ナット４５を締め付ければ、摺動ボール４３５を締め付け固定でき、これにより台座４１に対する貼付ステー４３の角度等を固定できる。
【００６４】
ドライブレコーダ２の設置に当たっては、例えばまず、図１１のごとく、外周ナット４５を軽く締め付けて貼付ステー４３と台座４１とを連結したブラケット４を用意し、両面テープ４００を利用して貼付プレート４３０をフロントガラス８０に貼り付ける。次に、ブラケット４のネジ４１１をネジ孔２０１に挿入できるようにドライブレコーダ２を把持し、ドライブレコーダ２自体を回転させることでネジ４１１を螺入する。台座面４１０に筐体２０が押し当たるまでネジ４１１を螺入させ、これによりブラケット４の台座４１にドライブレコーダ２を固定する。
【００６５】
ドライブレコーダ２の撮像範囲を所望の範囲に調整した後、外周ナット４５を締め付けて台座４１の凹部４１７に収容された摺動ボール４３５を締め付けて固定する。これによりドライブレコーダ２の取付け姿勢を固定して撮像範囲を所定範囲に設定でき、ドライブレコーダ２の設置を完了できる。
【００６６】
ドライブレコーダ２の使用に際しては、画像データを記録するためのｍｉｃｒｏＳＤカード２４をカードコネクタ３５に装着する必要がある。電源プラグ１０が接続された状態（近接状態）では、カードコネクタ３５の装着通路をなすスロット２５がプラグ保持部１２によって覆い隠されると共に、ｍｉｃｒｏＳＤカード２４をカードコネクタ３５に挿入するために指先等を差し入れる作業スペースを確保できない。それ故、電源プラグ１０を接続する前あるいは電源プラグ１０を取り外した状態（離反状態の例）でｍｉｃｒｏＳＤカード２４を装着する必要がある（図１２）。
【００６７】
ｍｉｃｒｏＳＤカード２４を装着した後で図１３のように電源プラグ１０を接続すると、図１４のように対向配置された電源端子２７のマイナス電極２７Ｃの間隙を押し広げるようにしてプラグ１１がその間隙に挿入される。これにより、プラグ１１の外周面をなすマイナス電極１１Ｃが電源端子２７のマイナス電極２７Ｃと電気的に接触する。同時に、電源端子２７のピン状のプラス電極２７Ｐが、プラグ１１のピン孔１１０に挿入され、このピン孔１１０から内周側に突出するように対抗配置されたプラス電極１１Ｐと電気的に接触する。このようにして電源端子２７のプラス電極２７Ｐ及びマイナス電極２７Ｃが、それぞれ、電源プラグ１０のプラス電極１１Ｐあるいはマイナス電極１１Ｃに対して電気的に接触する接続状態となり、これにより、ドライブレコーダ２への電力供給が実現され画像データの記録動作等を開始可能な状態となる。
【００６８】
上記のように、電源端子２７及びプラグ１１には、電源プラグ１０を接続したときのプラグ保持部１２の周方向位置をスロット２５側に規制する位置決め構造を設けてある。電源端子２７に電源プラグ１０を接続した状態（近接状態の例）では、図１５のようにプラグ保持部１２がスロット２５に覆い被さるように位置する。この状態では、ｍｉｃｒｏＳＤカード２４の取り出し（脱去の例）する際の通路をなすスロット２５が覆い隠されると共に、ｍｉｃｒｏＳＤカード２４を装着あるいは取り出す際の経路や、指先等を差し入れる作業スペースがプラグ保持部１２によって占有されるため、ｍｉｃｒｏＳＤカード２４の取り出しが制限される。ドライブレコーダ２は、電源プラグ１０が接続されてｍｉｃｒｏＳＤカード２４の取り出しが制限された状態で動作し、画像データを確実性高くｍｉｃｒｏＳＤカード２４に記録できる。
【００６９】
ｍｉｃｒｏＳＤカード２４に記録された画像データは、ドライブレコーダ２での再生のほか、カードリーダ機能を有するか、あるいはカードリーダ７１が外部接続されたパソコン７を利用して再生可能である（図１６）。パソコン７で再生画像を閲覧するためには、ｍｉｃｒｏＳＤカード２４をドライブレコーダ２から取り出してパソコン７に外部接続されたカードリーダ７１等にセットする。続いて予めパソコン７にインストールされた所定の画像閲覧アプリケーションを起動し、そのアプリケーション画面（図示略）上でファイル読出し操作を実行する。
【００７０】
なお、画像データが記録されたｍｉｃｒｏＳＤカード２４をドライブレコーダ２から取り出す際、電源プラグ１０が接続されていると（図１５参照。）、ｍｉｃｒｏＳＤカード２４の取り出しを実施できない。ｍｉｃｒｏＳＤカード２４を取り出すためには、まず、電源プラグ１０を取り外し、電源プラグ１０が接続されておらず（離反状態の例）、電源プラグ１０を介して電力が供給されない非接続状態を設定する必要がある。電源プラグ１０を取り外せば、プラグ保持部１２によって覆い隠されていたスロット２５が外部に露出すると共に、ｍｉｃｒｏＳＤカード２４の端部を指先等で触れたり、ｍｉｃｒｏＳＤカード２４をスロットから引き抜いて取り出すための経路等の作業スペースを確保できる。
【００７１】
ｍｉｃｒｏＳＤカード２４を取り出すためには、スロット２５に隣接して設けられた窪み２５０を利用し、例えば指先でｍｉｃｒｏＳＤカード２４の端部を指先等で押し込むことでカードコネクタ３５のラッチ機構を解除させる。ラッチ機構が解除されるとｍｉｃｒｏＳＤカード２４が押し戻されてその端部が外部に向けて若干突出する。電源プラグ１０を取り外した状態であれば、その突出した端部を指先等でつまむための作業スペースが確保され、ｍｉｃｒｏＳＤカード２４の取り出しが可能になる。
【００７２】
一般に、記憶領域に対するアクセス（データの書込動作や読取動作など）中にｍｉｃｒｏＳＤカード２４が取り出されるとトラブルが発生するおそれがある。記録データがソフトウェア的に破壊されて読み取りが不可能になったり、ｍｉｃｒｏＳＤカード２４がハードウェア的に破壊されて記憶領域の一部または全部が使用できなくなる等のトラブルである。同様に、ドライブレコーダ２の動作中にｍｉｃｒｏＳＤカード２４を装着すると、ｍｉｃｒｏＳＤカード２４の電気回路に対して急激に電圧が作用することで記録データの破壊等のトラブルが発生するおそれがある。
【００７３】
これに対して本例のドライブレコーダ２では、電源プラグ１０が邪魔となり電源プラグ１０を取り外した状態（離反状態）でないとｍｉｃｒｏＳＤカード２４の取り出しや装着が出来ないようになっている。このような構成を採用することでｍｉｃｒｏＳＤカード２４の記憶領域へのアクセス中にｍｉｃｒｏＳＤカード２４が不用意に取り出される可能性を無くし、これにより、上記のようなｍｉｃｒｏＳＤカード２４に関するトラブルの発生を未然に回避している。このドライブレコーダ２では、ｍｉｃｒｏＳＤカード２４のトラブルの発生が抑制され、記録した画像データが読み出せなくなってしまうおそれが少ない。
【００７４】
ドライブレコーダ２が記録した画像データは、例えば車両が事故を起こしたり巻き込まれたとき等に特に重要となる。事故が起きた瞬間の前後に渡る画像データが事故原因の特定に非常に役立つからである。一方、事故が起きた場合、運転者等が動転してしまい記憶領域へのアクセス中であるにも関わらずｍｉｃｒｏＳＤカード２４を取り出そうとする等、普段は注意している突飛な行動をとってしまう可能性が高くなる。本例のドライブレコーダ２では、電源プラグ１０を取り外さない限りｍｉｃｒｏＳＤカード２４を取り出せない。そのため、記憶領域へのアクセス中にｍｉｃｒｏＳＤカード２４が取り出されるおそれがほとんどなく、記録した大事な画像データが読み取り不能となるおそれが極めて少なくなっている。
【００７５】
なお、ドライブレコーダ２の電気回路にバックアップ電池（バックアップ用電源、蓄電手段）を含む回路を追加することも良い。バックアップ電池は、リチウムイオン電池等の２次電池のほか、電気二重層コンデンサ（スーパーキャパシタ）等を利用するとよい。バックアップ電池（バッテリ）の容量としては、例えばｍｉｃｒｏＳＤカード２４の記憶領域へのアクセス中に電源プラグ１０が取り外されたり電源ボタンによるＯＦＦ操作が行われた後、そのアクセス処理が終了するまでに要する動作時間に渡ってドライブレコーダ２を動作させることができる電池容量を設定すると良い。電源プラグ１０が取り外されたり電源ボタンがＯＦＦ操作されて外部からの電源供給が停止されたとき、ｍｉｃｒｏＳＤカード２４を安全に取り出せる処理を開始すると共にこの処理を行った後に電源を遮断する回路を、バックアップ電池を利用して構成するとよい。この場合には、ｍｉｃｒｏＳＤカード２４の記憶領域へのアクセス中に外部からの電力供給が停止された場合であっても、その後、バックアップ電池からの供給電力を利用してアクセス処理を安全に終了する等、ｍｉｃｒｏＳＤカード２４を安全に取り出すための処理を実行できるようになる。なお、一般的には記憶領域へのアクセス処理が安全に終了するまでに要する動作時間は１秒程度である。
【００７６】
図１７のように、スロット２５及び電源端子２７を窪み２０４の底面に配置すると共に、その窪み２０４の半分程度を覆うスライドカバー２０２を設けることも良い。電源端子２７に電源プラグ１０を接続するためには、スライドカバー２０２をスロット２５側に移動させておかねばならない（同図（ｂ）の状態）。この状態では、ｍｉｃｒｏＳＤカード２４の取り出しが不可能であるので、取り出しの際にはまず、電源プラグ１０を電源端子２７から取り外した後、スライドカバー２０２を電源端子２７側に移動させてスロット２５を露出させる必要がある（同図（ａ）の状態）。このようにスライドカバー２０２を移動させてスロット２５を露出させたとき、初めてｍｉｃｒｏＳＤカード２４を取り出し可能な状態となる。同図の場合であれば、スロット２５を覆い隠すように電源プラグを構成する必要がなくなり、この場合には、ｍｉｃｒｏＳＤカード２４の取り出しを制限する取出制限手段がドライブレコーダ２側でのみ構成されることになる。一方、図１３の例の場合には、電源プラグ１０側でのみ取出制限手段が構成されている。
【００７７】
図１８のように、スロット２５を覆うことが可能な開閉カバー２５５を設けることも良い。電源プラグ１０が接続された状態において、電源プラグ１０のプラグ保持部１２あるいはケーブル１３に干渉して開閉カバー２５５を開くことができないように構成すると良い。この場合には、電源プラグ１０が接続された状態におけるｍｉｃｒｏＳＤカード２４の取り出しを不可能にできると共に、図１７のようにスライドカバー２０２を設けた場合と同じような効果を得ることができる。開閉カバー２５５を開けたときに電源がオフになるような保護手段、開閉カバー２５５を開けたときにｍｉｃｒｏＳＤカード２４を安全に取り出せる処理を開始する保護手段を設けることも良い。これらのような保護手段を設ければ、ドライブレコーダ２がｍｉｃｒｏＳＤカード２４へのデータ記録等を行なっている最中にｍｉｃｒｏＳＤカード２４が取り出されて記録データが破壊されたり、ｍｉｃｒｏＳＤカード２４自体が破壊されてしまうおそれを未然に回避できる。図１８の場合には、ドライブレコーダ２及び電源プラグ１０の双方で取出制限手段が構成されている。
【００７８】
図１７や図１８に例示する構成は、バックアップ電池を追加した際に特に有効となる。バックアップ電池を追加した場合、電源プラグ１０を取り外した後もｍｉｃｒｏＳＤカード２４の記憶領域へのアクセスが継続する可能性が生じる。上記の構成では、電源プラグ１０を取り外した後にスライドカバー２０２や開閉カバー２５５の操作が必要となるので、この操作に要する時間分だけ、その後ｍｉｃｒｏＳＤカード２４を取り出し可能な状態が設定されるまでの時間を遅延させることができる。これにより、電源プラグ１０の取り外しの後、上記のアクセス処理を安全に終了させる前にｍｉｃｒｏＳＤカード２４が取り出されるおそれを抑制できる。
【００７９】
図１９のように、スロット２５に隣接してスライド式の電源ボタン２９を設けると共に、その電源ボタン２９に連動するカバー２９１を設けることも良い。電源ボタン２９がオンに操作されているとき（同図（ｂ）の状態）、このカバー２９１がスロット２５を覆うように構成すれば、電源ボタン２９がオンに操作されている間にｍｉｃｒｏＳＤカード２４が取り出されるおそれがない。例えばｍｉｃｒｏＳＤカード２４の記憶領域へのアクセス中に電源ボタン２９がオフに操作されたとき（同図（ａ）の状態）、直ちに電源供給を停止するとアクセス処理が安全に終了できなくなるおそれがある。アクセス処理が終了するまで、電源供給の停止を遅延できるように構成することも良い。電源ボタン２９をオンからオフに操作したときには、ｍｉｃｒｏＳＤカード２４を安全に取り出すための処理を開始するように構成すると良い。
【００８０】
なお、本例では、丸孔状の電源端子２７に挿入するプラグ１１を備える電源プラグ１０を電気的接続部として採用している（図１４等）。電気的接続部は、電磁誘導等で非接触型の給電を行う電気的接続部としてもよいが、接触型の接続部とするとよい。例えば、電気的接続部は電源供給用の端子を備え、電子機器には電源入力部として受電用の端子を備え、前記近接状態において電気的接続部の備える電源供給用の端子が電子機器の備える受電用の端子に接触する状態となって前記接続状態となる一方、前記離反状態において電気的接続部の備える電源供給用の端子が電子機器の備える受電用の端子に接触しない状態となって非接続状態となる構成とするとよい。
【００８１】
電気的接続部は、接触型の接続部の場合、導電性の部材同士が接触する構成であればよく、例えば、マグネットにより導電性の部材同士が接触する構成のものとしたり、コネクタにしたりするとよく、ジャックとすることもできるが、特にプラグとするとよい。電気的接続部を差込み（挿入）型のプラグとすれば、前記離反状態を設定するために所定の距離分、電子機器から引き抜く必要があるため、この引き抜き動作を利用する構成や、引き抜くために必要な距離を利用する構成として、取出制限手段を低コストで実現しやすい。
【００８２】
図２０は、筐体２０の側面に配設された磁性部材２０Ｍにマグネット１０Ｍがくっつく力を利用して電源プラグ１０の接続構造を構成した例である。電源プラグ１０が磁力によって接続されると、筐体２０の電源端子２７Ｐと、電源プラグ１０のプラグ端子１０Ｐとが電気的に接触して電気的な接続状態が実現される。電源プラグ１０を接続したとき、スロット２５を覆い隠されるようにプラグ保持部１２を構成すると良い。
【００８３】
本例では、接続したときにｍｉｃｒｏＳＤカード２４の取り出しの邪魔をし、ｍｉｃｒｏＳＤカード２４を取り出しできないようにする電源プラグ１０を採用している。ケーブル１３が取り出しの邪魔をするように構成しても良い。
さらに、「取り出しできない」のではなく「取り出せないようにみえる」構成を採用することもできる。例えば、実際には取り出せる構成でも取り出せないように見えるだけでも効果を発揮する。取り出せないように見える構成としては、例えば、電源プラグ１０が接続された状態であっても実際にはｍｉｃｒｏＳＤカード２４を取り出し可能である一方、ｍｉｃｒｏＳＤカード２４が電源プラグ１０に隠れて運転者側から見えないような構成や、ｍｉｃｒｏＳＤカード２４を取り出す際の抜き取り方向に電源コードのケーブル１３（図１３）が位置しているために、取り出しが困難あるいは手間がかかるように見える構成等がある。
【００８４】
例えば充電可能なバッテリを備える電子機器とし、バッテリからｍｉｃｒｏＳＤカード２４の記録データの読取動作及び書込動作の少なくともいずれか一方を実行する箇所への電源の供給を行う構成としてもよい。特にこのような構成においては、充電切れで電源プラグ１０を取り付けて動作している状態などでは、上記のような電源プラグ１０の構成が非常に有効となる。上記のような電源プラグ１０の構成としては、特に、ｍｉｃｒｏＳＤカード２４の記録データの読取動作及び書込動作の少なくともいずれか一方を実行する箇所への電源の供給を、電源端子２７へ供給された電力に基づいて行う構成とするとよい。特に、電源端子２７への電力の供給が無くなった場合に、記憶媒体の記録データの読取動作及び書込動作の少なくともいずれか一方を実行する箇所への電源の供給がされなくなる構成とすると、顕著な効果を発揮する。
【００８５】
本例では、断面略円形状の端子孔２７０を備える電源端子２７及び対応する電源プラグ１０の例であるが、電源端子及び電源プラグとしては、ＵＳＢ端子等の接続端子、及び対応する電源プラグとしてもよい。特にあらかじめ差し込み方向が規制される規格のプラグとするとよい。また、既存のＩ字状の電源プラグのような一般的な電源プラグに取り付けて、記憶媒体の取り出し方向を妨害する妨害部材としてもよい。妨害部材は、例えば四角柱や円柱のような柱状の部材とし、当該柱状の部材の一端をプラグまたはプラグ保持部に固定するようにすると良い。妨害部材は、プラグまたはプラグ保持部に接着やねじ込み等して固定するようにしてもよいが、プラグまたはプラグ保持部の挟み込みもしくは締め付けによって固定する構成とするとよい。たとえば輪ゴム状の弾性部材に妨害部材の一端が接着等された部材の輪ゴム部分を既存のプラグまたはプラグ保持部にかけて固定するとよい。たとえばＩ字状のプラグに対して全体がＬ字上になる方向（たとえば９０度の方向）に妨害部材をもうけるとよい。このとき妨害部材によって記憶媒体の取り出し方向が規制されるように妨害部材または妨害部材の固定部材に設けた位置決め部がプラグの位置決め部と、たとえばかみ合う構造などとすると特によい。
【００８６】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更、あるいは適宜組合せた技術を包含している。
【符号の説明】
【００８７】
１  シガープラグコード
１０  電源プラグ
１１  プラグ
１２  プラグ保持部
１３  ケーブル
２  ドライブレコーダ
２０  筐体
２４  ｍｉｃｒｏＳＤカード
２５  スロット
２７  電源端子
３０  電子基板
３１  カメラユニット
３５  カードコネクタ
４  ブラケット
４１  台座
４３  貼付ステー
７  パソコン
【図１】
2015195132.tif 000003
【図３】
2015195132.tif 000004
【図４】
2015195132.tif 000005
【図５】
2015195132.tif 000006
【図６】
2015195132.tif 000007
【図７】
2015195132.tif 000008
【図８】
2015195132.tif 000009
【図９】
2015195132.tif 000010
【図１０】
2015195132.tif 000011
【図１４】
2015195132.tif 000012
【図１５】
2015195132.tif 000013
【図１７】
2015195132.tif 000014
【図１８】
2015195132.tif 000015
【図１９】
2015195132.tif 000016
【図２０】
2015195132.tif 000017
【図２】
2015195132.tif 000018
【図１１】
2015195132.tif 000019
【図１２】
2015195132.tif 000020
【図１３】
2015195132.tif 000021
【図１６】
2015195132.tif 000022